(57)【要約】【課題】カウンタ台の利便性を損なうことなく、１人の店員で容易に操作可能とする。【解決手段】カウンタ台４０の中央部の奥側には、少なくとも自動釣銭機７と１５インチ操作部２とが、自動釣銭機７よりも上方に１５インチ操作部２が位置するように垂直方向に並べて配置されている。自動釣銭機７は、硬貨出金口７−１、硬貨入金口７−２、紙幣入出金口７−３からなる。１５インチ操作部２は、表示部とタッチパネルとからなる液晶タッチパネルである。また、自動釣銭機７の後部は、後方に突出させている。【選択図】図１
2014199681.tif 000002
【特許請求の範囲】
【請求項１】
買物カゴを載置するカウンタ台の略中央位置に設けられ、買物カゴを前記カウンタ台上面の一端から他端に滑らせて移動させることができるＰＯＳレジスタにおいて、
前記カウンタ台の略中央位置に、少なくとも入出金部と表示操作部とが、前記入出金部よりも上方に前記表示操作部が位置するように垂直方向に並べて配置され、
前記入出金部の後部は、後方に突出させたことを特徴とするＰＯＳレジスタ。
【請求項２】
買物カゴを載置するカウンタ台の略中央位置に設けられ、買物カゴを前記カウンタ台上面の一端から他端に滑らせて移動させることができるＰＯＳレジスタにおいて、
前記カウンタ台の略中央位置に、少なくとも入出金部と表示操作部とが、前記入出金部よりも上方に前記表示操作部が位置するように垂直方向に並べて配置され、
前記入出金部の前部は、
前記カウンタ台上面であって前記入出金部の正面に買物カゴを置いた場合における当該買物カゴの上面の空間に突出させていないことを特徴とするＰＯＳレジスタ。
【請求項３】
前記入出金部は、自動釣銭機であって、
前記自動釣銭機は、少なくとも紙幣入口を備え、該紙幣入口の高さは、前記自動釣銭機の前面に置かれた買物カゴの上端の高さと同等、又は、それ以上であることを特徴とする請求項１又は請求項２に記載のＰＯＳレジスタ。
【発明の詳細な説明】
【技術分野】
【０００１】
本発明は、ＰＯＳレジスタに関する。特に、本発明は、大勢の客を高速に処理できるカウンタ台に設置するＰＯＳレジスタに関する。
【背景技術】
【０００２】
従来、カウンタ台にタワー部を設けて主に商品登録を行うチェッカー部と、合計金額の表示や、ドロワーにより入出金を行い、代金精算を主に行うキャッシャ部とを備えるタワー型ＰＯＳレジスタが知られている。該タワー型ＰＯＳレジスタを使用する場合、１台に対して店員が２名入り、両処理を同時に行い、かつ、商品登録が終わった客の空の買物カゴを次客の商品登録が終わった商品を入れることに使用することで、買物カゴを有効利用し、高速処理を可能にしている（例えば、特許文献１、特許文献２参照）。
【先行技術文献】
【特許文献】
【０００３】
【特許文献１】特開２００５−２５０５７２号公報
【特許文献２】特開２００５−２４２７２８号公報
【発明の概要】
【発明が解決しようとする課題】
【０００４】
しかしながら、特許文献１の従来技術では、来店客が多い場合にはよいが、午前中や、昼間などの客が少ない場合には、１台に２名の店員が入ったのでは非効率であるという問題がある。そして、その場合に、１台を１名で操作したのでは、商品登録と精算とでは、店員は移動して立ち位置を変更する必要があり、店員の疲労を増大させる恐れがあるという問題があった。
【０００５】
そこで、カウンタ台にチェッカー機能と精算機能との双方を設けることが考えられるが、従来のＰＯＳレジスタの大きさを考えると、タワー部の大きさにより、買物カゴをカウンタ台の一端（商品登録前の買物カゴを置く位置）から他端（商品登録済み商品を入れる買物カゴを置く位置）にカウンタ台の上面を滑らせて楽に移動させることができなくなるという問題がある。
【０００６】
また、近年、自動釣銭機が普及しているが、大型であり、これを設けると、タワー部は、さらに大きくなってしまう。
【０００７】
さらに、両機能をタワー部に設けると、メカキーの種類が多くなり、上記特許文献１や、特許文献２のキーボード部分が大きくなると、右端のキーは、さらに右に位置して店員から離れてしまい、操作性が低下するという問題もある。
【０００８】
本発明は、このような事情を考慮してなされたものであり、その目的は、カウンタ台の利便性を損なうことなく、１人の店員で容易に操作できるＰＯＳレジスタを提供することにある。
【課題を解決するための手段】
【０００９】
上記問題を解決するために、本発明の一態様であるＰＯＳレジスタは、買物カゴを載置するカウンタ台の略中央位置に設けられ、買物カゴを前記カウンタ台上面の一端から他端に滑らせて移動させることができるＰＯＳレジスタにおいて、前記カウンタ台の略中央位置に、少なくとも入出金部と表示操作部とが、前記入出金部よりも上方に前記表示操作部が位置するように垂直方向に並べて配置され、前記入出金部の後部は、後方に突出させたことを特徴とする。
上記ＰＯＳレジスタによれば、少なくとも入出金部と表示操作部とが、入出金部よりも上方に表示操作部が位置するように、カウンタ台の略中央位置に垂直方向に並べて配置されているので、奥行き寸法が最大の部分のものの１つに影響されるだけになり、カウンタ台上で買物カゴを滑らせ移動させる部分の寸法を確保しやすくできる。しかも、表示操作部は、入出金部よりも上方に位置するので、店員の目や、肩に近いために、見やすく、操作しやすいという利点が得られる。また、入出金部の後部は、後方に突出しているので、カウンタ台上で買物カゴを滑らせて移動させる部分の寸法を確保しやすく、作業性を向上させることができる。
【００１０】
上記問題を解決するために、本発明の他の態様であるＰＯＳレジスタは、買物カゴを載置するカウンタ台の略中央位置に設けられ、買物カゴを前記カウンタ台上面の一端から他端に滑らせて移動させることができるＰＯＳレジスタにおいて、前記カウンタ台の略中央位置に、少なくとも入出金部と表示操作部とが、前記入出金部よりも上方に前記表示操作部が位置するように垂直方向に並べて配置され、前記入出金部の前部は、前記カウンタ台上面であって前記入出金部の正面に買物カゴを置いた場合における当該買物カゴの上面の空間に突出させていないことを特徴とする。
これによっても、同様の効果を得ることができる。
【００１１】
上記ＰＯＳレジスタにおいて、前記入出金部は、自動釣銭機であって、前記自動釣銭機は、少なくとも紙幣入口を備え、該紙幣入口の高さは、前記自動釣銭機の前面に置かれた買物カゴの上端の高さと同等、又は、それ以上であってもよい。
即ち、自動釣銭機の高さが、カウンタ台上に置かれた買物カゴの上端の高さと同等、又は、それ以上であるため、買物カゴが置かれた状態においても、自動釣銭機に紙幣を入れやすく、作業性を向上させることができる。
【発明の効果】
【００１２】
この発明によれば、カウンタ台の利便性を損なうことなく、１人の店員で容易に操作することができる。
【図面の簡単な説明】
【００１３】
【図１】本発明の実施形態による、タワー型ＰＯＳレジスタの外観構造を示す斜視図である。
【図２】本実施形態による、タワー型ＰＯＳレジスタでの買物カゴの移動状況を説明するための斜視図である。
【図３】本実施形態による、タワー型ＰＯＳレジスタでの店員の位置関係を示す側面図である。
【図４】本実施形態による、タワー型ＰＯＳレジスタの自動釣銭機と買物カゴとの高さ関係を示す斜視図である。
【発明を実施するための形態】
【００１４】
以下、本発明の一実施形態を、図面を参照して説明する。図１（ａ）、（ｂ）は、本発明の実施形態による、タワー型ＰＯＳレジスタの外観構造を示す斜視図である。図１（ａ）において、タワー部１は、カウンタ台４０の中央部の奥側に設けられている。１５インチ操作部２は、表示部とタッチパネルとからなる液晶タッチパネルであり、タワー部１の最上位に位置する。該１５インチ操作部２は、プリセットキーを有し、商品登録した商品名や、その値段、合計金額などを表示する。
【００１５】
６８メカキー３は、表示操作部のメカキー部であり、１５インチ操作部２の下側に設けられている。該６８メカキー３には、テンキー、預／現計キー、小計キー、取消キーなど、頻繁に操作されるキーが設けられている。スキャナ４は、商品に添付されているバーコード（商品コード）の読取部であり、６８メカキーの下側に設けられている。また、タワー部１の右側面には、店員が手操作で商品に添付されているバーコード（商品コード）で読み取らせるウォンドスキャナ５が配置されている。プリンタ６は、スキャナ４の左側に位置し、レシートを発行する。
【００１６】
自動釣銭機７は、スキャナ４とプリンタ６の下側に設けられており、硬貨出金口７−１、硬貨入金口７−２、紙幣入出金口７−３からなり、硬貨、紙幣を扱う。硬貨出金口７−１は、前面左側に配置され、凹部から硬貨の釣銭が排出される。硬貨入金口７−２は、前面中央部に配置され、凹部から硬貨が投入される。紙幣入出金口７−３は、前面右側に配置され、紙幣が水平に投入／排出される。自動釣銭機７の下側には、空間があり、セロテープ（登録商標）８、雑巾９、ナイロン袋１０が置かれている。
【００１７】
また、図１（ｂ）において、タワー部１の後側（客側）の突出部１１の上面には、電子マネー端末１２が配置されている。タワー部１の上側で、かつ、１５インチ操作部２の裏側には、商品が登録される度に、該商品の価格、及び合計金額を客側に表示する客側表示部１３が設けられている。タワー部１の後部から見て、上部、右端には、店員が自動釣銭機７からとり、客に渡すための釣銭を入れる釣銭受け１４が配置されている。
【００１８】
図２は、本実施形態による、タワー型ＰＯＳレジスタでの買物カゴの移動状況を説明するための斜視図である。図２において、第１のカゴ置き場２０には、登録前の商品が入れられた買物カゴ３０が置かれる。第２のカゴ置き場２１には、スキャナ４で商品コードを読み取って商品登録済み商品が入れられた買物カゴ３１が置かれる。第１のカゴ置き場２０の買物カゴ３０の全ての商品の登録が終わると、その買物カゴ３０は、カウンタ台４０上面で、タワー部１の前を滑って第２のカゴ置き場２１に店員により移動される。
【００１９】
図３は、本実施形態による、タワー型ＰＯＳレジスタでの店員の位置関係を示す側面図である。図３において、店員５０は、胴体を動かすことなく、手が最上の１５インチ操作部２から最下の自動釣銭機７の入出金口に届くような寸法・位置関係となっている。
【００２０】
自動釣銭機７の後部に位置する突出部１１は、タワー部１、さらに、カウンタ台４０よりも突出している。しかし、前述した特許文献１のようなキャッシャ部があるＰＯＳレジスタでは、キャッシャ部を含めた奥行寸法で比較すると、本実施形態による、タワー型ＰＯＳレジスタ１の方が、小さくすることができ、寸法上の問題とはならない。
【００２１】
図４は、本実施形態による、タワー型ＰＯＳレジスタの自動釣銭機と買物カゴとの高さ関係を示す斜視図である。本実施形態では、自動釣銭機７において、硬貨出金口７−１、硬貨入金口７−２、紙幣入出金口７−３がほぼ同じ高さに設けられており、その高さは、第１のカゴ置き場２０に置かれた買物カゴ３０の上端の高さと同等、又は、それ以上としている（破線を参照）。
【００２２】
上述した実施形態によれば、タワー部１に上から順に、１５インチ操作部２、スキャナ４、自動釣銭機７を配置したことで、タワー部１の奥行き寸法が最大の部分のものの１つに影響されるだけになり、カウンタ台４０上で買物カゴ３０（３１）を滑らせ移動させる部分の寸法を確保しやすくできる。しかも、１５インチ操作部２は、店員の目や、肩に近いために、見やすく、操作しやすいという利点が得られる。そして、この配置順により、スキャナ４は、読取操作がしやすいように、買物カゴ３０（３１）より若干高い位置に設置しやすくなり、その分、この下の位置に自動釣銭機７を設けやすくなる。これらにより、キー操作、読取操作と入出金操作が近い位置で行うことができるので、操作性を向上させることができる。
【００２３】
また、表示器は、通常、横長形状のために、１５インチ操作部２の高さ位置を若干上げるだけで、その下にメカキー用のスペースを広く確保でき、操作性を大きく損なわずに商品登録用と精算用の６８メカキー３を設けることができる。
【００２４】
また、自動釣銭機７をタワー部１に設けても、図３に示すように、突出部１１をカウンタ台４０の端部よりも後方に突出させているため、カウンタ台４０上で買物カゴ３０（３１）を滑らせて移動させるスペースを確保しやすく、作業性を向上させることができる。
【００２５】
なお、自動釣銭機７を小型化し、上記スペースを確保しつつ、突出部１１をカウンタ台４０の端部よりも後方に突出させないようにしてもよい。つまり、突出部１１の最後部が、カウンタ台４０の後方の端部を形成する直線を含む垂直面を超えて後方に突出しないように、突出部１１の後部を手前側に引っ込めるようにしてもよい。例えば、突出部１１の最後部が、図１（ｂ）に示すＡ４サイズコマーシャルの表示面から上記垂直面迄の範囲内の何れかの位置になるように、Ａ４サイズコマーシャルの表示面から突出させるようにしてもよい。
【００２６】
また、タワー部１の前には、買物カゴ３０（３１）が置かれる場合があり、この場合でも、自動釣銭機７の高さと、第１のカゴ置き場２０に置かれた買物カゴ３０の高さとを同等、あるいはそれ以上とすることで、自動釣銭機７の紙幣入出金口７−３に紙幣を入れやすく、作業性を向上させることができる。
【００２７】
なお、本発明でいう自動釣銭機７とは、その名称から硬貨のみを扱うというものに限らず、紙幣を扱うものも意味する。
【００２８】
また、カウンタ台４０のタワー部１の前のカゴ通路（第１のカゴ置き場２０）の幅は、買物カゴ３０（３１）の寸法に若干不足して手前に買物カゴ３０（３１）がはみ出しても落下しない程度であればよい。
【００２９】
また、自動釣銭機７は、メンテナンス性のために、その本体を手前に引き出し可能な機構を設け、かつ、引き出したときに、その上面のカバーを上方に開放でき、各部品が見えるようになっている。また、自動釣銭機７の後部は、客側に位置するので、客から保護するために、突出部１１は、タワー部１から支持された強固な保護カバーで覆われている。
【符号の説明】
【００３０】
１…タワー部  ２…１５インチ操作部  ３…６８メカキー    ４…スキャナ  ５…ウォンドスキャナ  ６…プリンタ  ７…自動釣銭機  ７−１…硬貨出金口  ７−２…硬貨入金口  ７−３…紙幣入出金口  ８…セロテープ  ９…雑巾  １０…ナイロン袋  １１…突出部  １２…電子マネー端末  １３…客側表示部  １４…釣銭受け  ２０…第１のカゴ置き場  ２１…第２のカゴ置き場  ３０、３１…買物カゴ  ４０…カウンタ台
【図１】
2014199681.tif 000003
【図２】
2014199681.tif 000004
【図３】
2014199681.tif 000005
【図４】
2014199681.tif 000006